(57)【要約】【課題】工事施工者の労務管理を簡易に、かつ、正確に実行することができるシステムを提供する。【解決手段】デジタルカメラ１０で工事現場の現場写真を撮影するとともに、工事現場における危険ポイントが記載された危険予知シートを撮影し、かつ工事現場への入退場時に入退場管理カードを撮影し、ＡＳＰサーバ１６に送信する。ＡＳＰサーバ１６は、危険予知シートの画像データから工事現場名を表すデータ及び工事名を表すデータを抽出し、入退場管理カードの画像データから工事施工者を表すデータを抽出し、撮影時刻のデータから入退場時刻を表すデータを抽出して労務管理ファイルを作成し管理端末１８，２０に送信する。【選択図】図１
2012084110.tif 000002
【特許請求の範囲】
【請求項１】
工事現場の労務管理システムであって、
工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラと、
前記デジタルカメラから送信された前記現場写真の画像データ、危険予知シートの画像データ、入退場管理カードの画像データを受信するサーバと、
前記サーバから送信された前記現場写真の画像データを受信して表示する管理端末と、
を備え、
前記サーバは、
プロセッサと、
前記管理端末のユーザである管理者と、前記管理者が管理する前記デジタルカメラとの対応関係を記憶するユーザ属性データベースと、
前記現場写真の画像データ、危険予知シートの画像データ、入退場管理カードの画像データを記憶する画像データベースと、
を備え、
前記サーバの前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、
前記管理端末は、前記サーバから送信された前記現場写真の画像データ及び前記労務管理ファイルを表示する
ことを特徴とする工事現場の労務管理システム。
【請求項２】
工事現場の労務管理システムであって、
工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラと、
前記デジタルカメラから送信された前記現場写真の画像データ、入退場管理カードの画像データを受信するサーバと、
前記サーバから送信された前記現場写真の画像データを受信して表示する管理端末と、
を備え、
前記サーバは、
プロセッサと、
前記管理端末のユーザである管理者と、前記管理者が管理する前記デジタルカメラとの対応関係を記憶するユーザ属性データベースと、
前記現場写真の画像データ、入退場管理カードの画像データを記憶する画像データベースと、
を備え、
前記サーバの前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、
前記管理端末は、前記サーバから送信された前記現場写真の画像データ及び前記労務管理ファイルを表示する
ことを特徴とする工事現場の労務管理システム。
【請求項３】
工事現場の労務を管理する労務管理システム用のサーバであって、
前記サーバは、工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ、危険予知シートの画像データ、及び入退場管理カードの画像データを受信して管理端末に送信するものであり、
プロセッサと、
前記管理端末のユーザである管理者と、前記管理者が管理する前記デジタルカメラとの対応関係を記憶するユーザ属性データベースと、
前記現場写真の画像データ、危険予知シートの画像データ、入退場管理カードの画像データを記憶する画像データベースと、
を備え、前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする工事現場の労務管理システム用のサーバ。
【請求項４】
工事現場の労務を管理する労務管理システム用のサーバであって、
前記サーバは、工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ及び入退場管理カードの画像データを受信して管理端末に送信するものであり、
プロセッサと、
前記管理端末のユーザである管理者と、前記管理者が管理する前記デジタルカメラとの対応関係を記憶するユーザ属性データベースと、
前記現場写真の画像データ及び入退場管理カードの画像データを記憶する画像データベースと、
を備え、前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする工事現場の労務管理システム用のサーバ。
【請求項５】
請求項１，２のいずれかに記載の工事現場の労務管理システムにおいて、さらに、
前記サーバは、工事現場への入退場時に現場作業者の着用品に付され、前記現場作業者を特定する個人情報を含むＱＲコードを前記デジタルカメラで撮影して得られる前記個人情報を受信し、前記個人情報を含む前記労務管理ファイルを作成して前記管理端末に送信する
ことを特徴とする工事現場の労務管理システム。
【発明の詳細な説明】
【技術分野】
【０００１】
本発明は工事現場の労務管理システムに関し、特にデジタルカメラ等の撮像手段を用いた労務管理システムに関する。
【背景技術】
【０００２】
工事現場において工事の進捗状況を記録する、工事の進捗状況を管理することを目的として、多数の現場写真を撮影し、これらを建設会社がそれぞれ所定のフォーマットに編集あるいは加工している。
【０００３】
一方、建設の事業計画、調査・設計、施工、維持管理までの施設のライフサイクル全般にわたる各種情報を電子化し、技術情報や取引情報をネットワークを介して交換及び共有して生産性の向上を図るシステムが提案されており、デジタルカメラの技術進歩とあいまって現場写真をデジタルカメラで取得してデジタル画像データ（デジタル写真データ）として効率的に管理、編集、加工しようとの要望が生じている。
【先行技術文献】
【特許文献】
【０００４】
【特許文献１】特開２００２−１５０５４号公報
【特許文献２】特許第４１２１０１７号
【特許文献３】特許第４１７４２９９号
【特許文献４】特許第４３１８４４６号
【特許文献５】特許第４３３０３２７号
【発明の概要】
【発明が解決しようとする課題】
【０００５】
ところで、デジタルカメラなどの撮像手段で撮影した画像データをサーバコンピュータに送信し、サーバコンピュータにおいて画像データを受信して編集し、工事の進捗状況を記録あるいは管理する建設会社の管理端末に送信することで工事管理者は容易に工事の進捗状況をリアルタイムで把握することができるが、その一方で、工事管理者は、現場で作業している作業者の労務管理をこれとは別に行う必要がある。
【０００６】
労務管理には、少なくとも、工事施工者の氏名、現場への入場時刻、現場からの退場時刻、工事現場名（例えば邸宅の建設であれば邸名）、作業内容が必要であり、従来においては、現場作業者あるいは現場監督者が現場に工事日報を据え付けて毎日これらの事項を記入し、毎日、工事管理者に提供するか、あるいは工事日報を月次でまとめて工事月報として工事管理者に提供している。
【０００７】
しかしながら、これら工事日報や工事月報を作成するのは煩雑であり、現場作業者あるいは現場監督者にとっては面倒な手続である。また、入場時刻や退場時刻は労災保険料の算出等にとって極めて重要であり、正確さが求められるところであるが、かなり曖昧であり、正確とは言い難いのが現状である。特に、何らかの悪意をもって入場時刻や退場時刻、あるいは現場作業者の人数等が改ざんされたとしても、工事管理者側でこれを把握することは困難である。
【０００８】
一方、会社においては、タイムカードを入社時刻と退社時刻を管理することが一般的に行われているが、このようなタイムカードを現場に設置して管理するのは現実的ではない。また、現場は比較的短期間に変わり得るものであり、現場作業者も同様に変わり得るものであることを考慮すると、タイムカードに変わるシステム、例えば作業者全員にＩＤカードを携帯させ、セキュリティゲートでＩＤカードの情報を読み取ることで入場時刻、退場時刻を管理することも現実的とはいえない。
【０００９】
本発明の目的は、工事管理者が工事施工者を管理する場合において、工事施工者の労務管理を簡易に、かつ、正確に実行することができるシステム及びサーバを提供することにある。
【課題を解決するための手段】
【００１０】
本発明は、工事現場の労務管理システムであって、工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラと、前記デジタルカメラから送信された前記現場写真の画像データ、危険予知シートの画像データ、入退場管理カードの画像データを受信するサーバと、前記サーバから送信された前記現場写真の画像データを受信して表示する管理端末とを備え、前記サーバは、プロセッサと、前記管理端末のユーザである管理者と、前記管理者が管理する前記デジタルカメラとの対応関係を記憶するユーザ属性データベースと、前記現場写真の画像データ、危険予知シートの画像データ、入退場管理カードの画像データを記憶する画像データベースとを備え、前記サーバの前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、前記管理端末は、前記サーバから送信された前記現場写真の画像データ及び前記労務管理ファイルを表示することを特徴とする。
【００１１】
また、本発明は、工事現場の労務管理システムであって、工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラと、前記デジタルカメラから送信された前記現場写真の画像データ、入退場管理カードの画像データを受信するサーバと、前記サーバから送信された前記現場写真の画像データを受信して表示する管理端末とを備え、前記サーバは、プロセッサと、前記管理端末のユーザである管理者と、前記管理者が管理する前記デジタルカメラとの対応関係を記憶するユーザ属性データベースと、前記現場写真の画像データ、入退場管理カードの画像データを記憶する画像データベースとを備え、前記サーバの前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、前記管理端末は、前記サーバから送信された前記現場写真の画像データ及び前記労務管理ファイルを表示することを特徴とする。
【００１２】
また、本発明は、工事現場の労務を管理する労務管理システム用のサーバであって、前記サーバは、工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ、危険予知シートの画像データ、及び入退場管理カードの画像データを受信して管理端末に送信するものであり、プロセッサと、前記管理端末のユーザである管理者と、前記管理者が管理する前記デジタルカメラとの対応関係を記憶するユーザ属性データベースと、前記現場写真の画像データ、危険予知シートの画像データ、入退場管理カードの画像データを記憶する画像データベースとを備え、前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする。
【００１３】
また、本発明は、工事現場の労務を管理する労務管理システム用のサーバであって、前記サーバは、工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ、入退場管理カードの画像データを受信して管理端末に送信するものであり、プロセッサと、前記管理端末のユーザである管理者と、前記管理者が管理する前記デジタルカメラとの対応関係を記憶するユーザ属性データベースと、前記現場写真の画像データ及び入退場管理カードの画像データを記憶する画像データベースとを備え、前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする。
【発明の効果】
【００１４】
本発明によれば、工事管理者が工事施工者を管理する場合において、工事施工者の労務管理を簡易に、かつ、正確に実行することができる。
【図面の簡単な説明】
【００１５】
【図１】実施形態のシステム構成図である。
【図２】デジタルカメラの構成図である。
【図３】ＡＳＰサーバの構成図である。
【図４】メールサーバ及びＡＳＰサーバの基本処理フローチャートである。
【図５】ＫＹ（危険予知）日誌の説明図である。
【図６】入退場管理カードの説明図である。
【図７】実施形態の動作説明図である。
【図８】ＡＳＰサーバの労務管理処理フローチャートである。
【図９】入退場管理カードの他の説明図である。
【図１０】変形例の処理フローチャートである。
【図１１】ＱＲコードの貼付例を示す説明図である。
【図１２】労務管理データの一例を示す説明図である。
【発明を実施するための形態】
【００１６】
以下、図面に基づき本発明の実施形態について説明する。
【００１７】
１．システムの基本構成
まず、本実施形態における工事現場管理システムのシステム構成図を示す。システムは、デジタルカメラ１０、メールサーバ（メールサーバコンピュータ）１４、ＡＳＰサーバ（ＡＳＰサーバコンピュータ）１６、管理端末（端末装置）１８，２０を含んで構成される。デジタルカメラ１０、メールサーバ１４、ＡＳＰサーバ１６、管理端末１８，２０はそれぞれ無線あるいは有線でインターネット１２に接続される。
【００１８】
撮像手段としてのデジタルカメラ１０は、工事現場の作業者により操作される。作業者は、デジタルカメラ１０を操作して工事現場の現場写真を撮影する。デジタルカメラ１０は、無線によりインターネット１２に接続される。作業者は、デジタルカメラ１０で撮影した現場写真の画像データその他の画像データをインターネット１２を介してメールサーバ１４に送信する。すなわち、作業者は、撮影した現場写真の画像データを電子メール形式でメールサーバ１４に送信する。現場写真以外の画像データとは、具体的には危険予知シートとしてのＫＹ（危険予知）日誌の画像データと入退場管理カードの画像データであるが、これらについては後述する。デジタルカメラ１０から電子メール形式で現場写真の画像データ等を送信する際の宛先、すなわちメールアドレスは、予めデジタルカメラ１０内のメモリに記憶されており、作業者はデジタルカメラ１０の送信ボタンを操作するのみで所望の宛先に電子メールを送信することができる。現場写真の画像データ等の画像データは、電子メールの添付ファイルとしてメールサーバ１４に送信される。現場写真の画像データ等がＪＰＥＧフォーマットの場合、ＪＰＥＧフォーマットをＢａｓｅ６４等のエンコーダを用いてテキストデータに変換する。
【００１９】
メールサーバ１４は、デジタルカメラ１０から送信された電子メールを受信し、電子メールに添付された現場写真の画像データ等を抽出する。メールサーバ１４は、抽出した現場写真の画像データ等をＡＳＰサーバ１６に送信する。メールサーバ１４は、インターネット１２を介して現場写真の画像データ等をＡＳＰサーバ１６に送信するが、インターネット１２の代わりに専用回線を介してＡＳＰサーバ１６に送信することもできる。専用回線は公衆回線あるいは非公衆回線のいずれかである。デジタルカメラ１０において複数の現場写真を撮影し、これら複数の現場写真の画像データを１通ずつ電子メール形式でメールサーバ１４に送信した場合、メールサーバ１４は複数の電子メールを受信する。この場合、メールサーバ１４は、各電子メールのサブジェクト（件名）内のデータに基づいて現場写真の画像データを仕分けしてＡＳＰサーバ１６に送信する。サブジェクト内のデータは、プロジェクト番号であり、フォルダプロジェクト番号である。デジタルカメラ１０においては、送信先毎にフォルダが形成されており、撮影した現場写真の画像データはデジタルカメラ１０内の各フォルダにまとめて記憶される。同一送信先に異なる複数の現場写真の画像データを送信する場合、単一のフォルダではこれら複数の画像データを互いに区別することはできない。そこで、デジタルカメラ１０では、これら複数の画像データを各フォルダに付されたプロジェクト番号で管理する。プロジェクト番号は、デジタルカメラ１０のプロセッサによって電子メールのサブジェクト（件名）に自動的に挿入される。メールサーバ１４は、サブジェクト内のプロジェクト番号を用いて現場写真の画像データを仕分けしてＡＳＰサーバ１６に送信する。
【００２０】
ＡＳＰサーバ１６は、メールサーバ１４から送信されたプロジェクト番号毎の現場写真の画像データをデータベースに記憶し、各プロジェクト番号毎に記憶された現場写真の画像データを用いて所定のフォーマットに編集あるいは加工してファイルデータを生成する。ＡＳＰサーバ１６は、また、メールサーバ１４から現場写真の画像データを受信したときに、電子メールのサブジェクトに含まれるデジタルカメラ１０のＩＤに基づいて、そのデジタルカメラ１０を管理する管理端末を特定し、特定した管理端末にインターネット１２を介して受信通知を送信する。例えば、管理会社Ａが管理端末１８のユーザであり、デジタルカメラ１０を操作する作業者を管理するものとする。ＡＳＰサーバ１６は、デジタルカメラ１０のＩＤに基づいてデジタルカメラ１０を管理するのが管理会社Ａであり、管理会社Ａは管理端末１８のユーザであるから、デジタルカメラ１０を管理する管理端末として管理端末１８を特定する。また、デジタルカメラ１０以外に他のデジタルカメラが存在するものとし、管理会社Ｂが管理端末２０のユーザであり、当該他のデジタルカメラを操作する作業者を管理するものとすると、ＡＳＰサーバ１６は、当該他のデジタルカメラのＩＤに基づいて当該他のデジタルカメラを管理するのが管理会社Ｂであり、管理会社Ｂは管理端末２０のユーザであるから、当該他のデジタルカメラを管理する管理端末として管理端末２０を特定する。
【００２１】
また、ＡＳＰサーバ１６は、メールサーバ１４から送信された現場写真以外の画像データ、具体的にはＫＹ日誌の画像データと入退場管理カードの画像データをデータベースに記憶する。そして、ＫＹ日誌の画像データに含まれる工事現場名と工事名を抽出してデータベースに記憶する。また、入退場管理カードの画像データに含まれる工事施工者名と入退場のデータを抽出してデータベースに記憶する。さらに、ＡＳＰサーバ１６は、入退場管理カードの画像データに付加されている時刻データを抽出してデータベースに記憶する。ＡＳＰサーバ１６は、ＫＹ日誌の画像データから抽出した工事現場名と工事名、及び入退場管理カードの画像データから抽出した工事施工者名、入退場の区別、時刻をまとめて労務管理ファイルデータを作成する。
【００２２】
ユーザである管理会社の管理者は、現場写真の画像データファイルが必要な場合には、管理端末１８あるいは管理端末２０を用いてＡＳＰサーバ１６にアクセスし、ＡＳＰサーバ１６にて編集あるいは加工されたファイルデータを取得して管理端末１８あるいは管理端末２０の表示装置に表示させる。管理者は、管理端末１８あるいは管理端末２０の表示装置に表示されたファイルデータを視認することで、工事現場においてデジタルカメラ１０あるいは他のデジタルカメラで撮影された現場写真の画像データを確認し、工事の状況を確認することができる。また、管理者は、管理端末１８あるいは管理端末２０の表示装置に表示された労務管理ファイルデータを視認することで、工事施工者の労務を管理することができる。
【００２３】
２．デジタルカメラの構成
図２に、デジタルカメラ１０の構成ブロック図を示す。デジタルカメラ１０は、ＣＭＯＳやＣＣＤ等のセンサ（イメージセンサ）１０ａ、ＤＳＰ（デジタルシグナルプロセッサ）１０ｂ、ＣＰＵ１０ｃ、メモリインタフェース（Ｉ／Ｆ）１０ｄ、ＪＰＥＧコーデック１０ｅ、メモリ１０ｆ及び通信インタフェース（Ｉ／Ｆ）１０ｇを備える。なお、公知であるために図には示していないが、デジタルカメラ１０は焦点レンズやズームレンズ、シャッタ、絞り等の光学系も備えており、光学系によって被写体像をセンサ１０ａに結像する。
【００２４】
センサ１０ａは、被写体である工事現場の像を電気信号に変換する。電気信号はデジタル画像信号に変換され、ＤＳＰ１０ｂに供給される。
【００２５】
ＤＳＰ１０ｂは、デジタル画像データに対し、ゲイン補正（ホワイトバランス感度設定）、ガンマ補正、同時化処理、ＲＧＢ−ＹＣ変換処理、ノイズ低減処理、輪郭補正等の各種処理を実行する。
【００２６】
ＪＰＥＧコーデック１０ｅは、ＤＳＰ１０ｂで処理されたデジタル画像データをＪＰＥＧフォーマットに変換圧縮し、現場写真の画像データとしてメモリ１０ｆに格納する。メモリ１０ｆは、例えばフラッシュメモリである。
【００２７】
ＣＰＵ１０ｃは、現場写真の画像データ等をメモリ１０ｆに格納する際に、送信先毎に作成されたフォルダにて一括管理する。例えば、送信先が２箇所ある場合、それぞれの送信先番号を有するフォルダが作成される。ＣＰＵ１０ｃは、各送信先フォルダにプロジェクト番号を初期値から順に付与していく。撮影日時も同時にメモリ１０ｆに格納される。さらに、現場写真の画像データについての基本的なデータ、例えば撮影時の状況や撮影部位のデータもメモリ１０ｆに格納される。ＣＰＵ１０ｃは、現場写真の画像データ等をメールサーバ１４に送信する場合、送信先フォルダ内に格納されている現場写真の画像データ等を電子メールの添付ファイルとしてテキストデータに変換して送信する。また、電子メールのサブジェクト（件名）にプロジェクト番号等のデータをメモリ１０ｆから読み出して自動的に挿入する。なお、複数の現場写真の画像データのそれぞれには、初期値からインクリメントしたユニークなファイル名が付される。
【００２８】
送信先フォルダのプロジェクト番号は、１から順次インクリメントされるが、その上限は例えば１０と固定することができる。プロジェクト番号が１０までいくと、プロジェクト番号は再び１に戻る。プロジェクト番号に加え、プロジェクト名を入力してもよい。プロジェクト名は、具体的には工事現場の名称や工事対象の建築物の名称等であって、少なくとも工事現場を特定する文字情報である。従って、送信先フォルダには、プロジェクト番号とプロジェクト名がセットとして付される。プロジェクト名はデジタルカメラ１０の作業者が入力することができる。あるいは、デジタルカメラ１０を管理する管理会社がデジタルカメラ１０を現在の作業者に配布する前に入力することができる。あるいは、ＵＳＢメモリにプロジェクト名を自動入力するプログラムを格納し、デジタルカメラ１０にＵＳＢメモリを挿入することで、そのプログラムが実行を開始し、プロジェクト名を自動入力することもできる。あるいは、ＡＳＰサーバ１６からインターネット１２を介してプロジェクト名のデータをデジタルカメラ１０に送信してもよい。
【００２９】
プロジェクト番号に加え、プロジェクト名を付加する技術的理由は以下の通りである。すなわち、工事現場の作業者は、時間に応じて工事現場を移動する場合が少なくない。例えば、午前中はある工事現場で特定の作業を行い、午後は別の工事現場で特定の作業を行う等である。この場合、その作業者が撮影する現場写真の画像データは、午前と午後で工事現場が異なるため、これらが互いに区別しなければならない。送信先フォルダのプロジェクト番号を午前と午後で異なる番号とすることで互いに区別することは可能であるが、プロジェクト番号だけでは工事現場が異なることを認識するのは困難である。同一工事現場でも、多少異なる部位の現場写真を撮影する際にもプロジェクト番号を変更する必要が生じる場合もあるからである。そこで、プロジェクト番号に加え、工事現場の名称等をプロジェクト名として付加することで、工事現場が変化した事実を容易に把握することが可能となる。
【００３０】
デジタルカメラ１０からメールサーバ１４に送信される電子メールのサブジェクトには、デジタルカメラ１０にユニークに割り当てられた固有の識別番号であるＩＤ、送信先番号、フォルダプロジェクト番号、フォルダプロジェクト名、ファイル番号、撮影日時、フォルダ内番号、フォルダ内ファイル総数が含まれる。例えば、電子メールのサブジェクトのフォーマットは、Ａ−Ｂ−Ｃ−Ｄ−Ｅ−Ｆ−Ｇである。ここで、Ａはデジタルカメラ１０のＩＤ、Ｂは送信先番号、Ｃはフォルダプロジェクト番号及びフォルダプロジェクト名、Ｄはファイル番号、Ｅは撮影日時、Ｆはフォルダ内番号、Ｇはフォルダ内ファイル総数を示す。
【００３１】
デジタルカメラ１０からＫＹ日誌の画像データ及び入退場管理カードの画像データを送信する場合も、同様に電子メール形式で送信する。電子メールのサブジェクトには、デジタルカメラ１０にユニークに割り当てられたＩＤ、送信先番号、フォルダプロジェクト番号、フォルダプロジェクト名、撮影日時が含まれる。
【００３２】
なお、入退場管理カードの画像データを送信する場合、撮影日時については画像データをＥＸＩＦ規格で送信すれば、画像データにＴＩＦＦ形式で自動的に撮影日時のデータが付加されるため、電子メールのサブジェクトに撮影日時を付加する必要はない。重要なことは、デジタルカメラ１０側で入退場管理カードを撮影した日時を自動的に取得してその画像データに付加することにある。入退場管理カードの画像データから抽出する時刻データは、労務管理の入場時刻と退場データを基礎付けるデータであるから正確であるとともに恣意的な改ざんを防ぐ必要がある。本実施形態におけるデジタルカメラ１０は、ユーザである工事施工者（現場作業者及び現場監督者をともに含む）による日時の設定及び修正が不可能な構成とし、撮影日時が自動的に画像に付加される構成とすることで、正確性と改ざん防止が図られる。
【００３３】
３．ＡＳＰサーバの構成
図３に、ＡＳＰ（アプリケーションサービスプロバイダ）サーバ１６の構成ブロック図を示す。ＡＳＰサーバ１６は、通信インタフェース（Ｉ／Ｆ）１６ａ、ＣＰＵ１６ｂ、ＲＯＭやＲＡＭ等のメモリ１６ｃ、ユーザ属性を記憶するユーザ属性データベース（ＤＢ）１６ｄ、現場写真の画像データ等を記憶する画像データベース（ＤＢ）１６ｅ、画像データを所定のファイルフォーマットに編集、加工して得られたファイルデータを記憶するファイルデータベース（ＤＢ）１６ｆを備える。
【００３４】
ユーザ属性データベース１６ｄは、ユーザである管理会社（あるいは管理会社の担当者）の基本情報、具体的には名称、住所、管理端末１８（あるいは管理端末２０）のＩＰアドレス、管理会社が管理するデジタルカメラ１０のＩＤを対応付けてテーブルとして記憶する。例えば、デジタルカメラ１０として、デジタルカメラＡ，デジタルカメラＢ，デジタルカメラＣ，デジタルカメラＤ，デジタルカメラＥの５個のデジタルカメラがあり、これらが全てある管理者により管理されるものとすると、管理者の名称と管理端末１８とデジタルカメラＡ〜デジタルカメラＥのそれぞれのＩＤが対応付けてテーブルとして記憶される。このテーブルを参照することで、管理者が管理するデジタルカメラがどれかを特定することができる。また、ユーザ属性データベース１６ｄは、さらにユーザである管理会社毎のユーザＩＤやパスワードを記憶する。
【００３５】
ＣＰＵ１６ｂは、ユーザ属性データベース１６ｄに記憶されたテーブルを用いてどのデジタルカメラから現場写真の画像データ等が送信され、どの管理端末に対して受信完了通知を送信するかを決定する。また、管理端末１８（あるいは管理端末２０）からの要求に応じ、現場写真の画像データ等を前記画像データベース１６ｅあるいはファイルデータベース１６ｆから読み出して管理端末１８（あるいは管理端末２０）に送信する。ＡＳＰサーバ１６の各種処理は、基本的にＣＰＵ１６ｂで実行される。
【００３６】
４．メールサーバ及びＡＳＰサーバの基本処理内容
図４に、メールサーバ１４及びＡＳＰサーバ１６の基本処理フローチャートを示す。メールサーバ１４のＣＰＵ及びＡＳＰサーバ１６のＣＰＵ１６ｂの処理である。まず、メールサーバ１４は、デジタルカメラ１０から送信された電子メールを順次受信する（Ｓ１０１）。電子メールには、現場写真の画像データが添付されている。
【００３７】
次に、メールサーバ１４は、受信した電子メールのサブジェクトに含まれるプロジェクト番号毎に現場写真の画像データを仕分けしてＡＳＰサーバ１６に送信する(Ｓ１０２)。ＡＳＰサーバ１６は、メールサーバ１４からの現場写真の画像データを受信し、プロジェクト番号とプロジェクト名毎に仕分けして画像データベース１６ｅに記憶する。
【００３８】
次に、ＡＳＰサーバ１６は、電子メールのサブジェクト内のＩＤから、そのＩＤに対応するデジタルカメラ１０を管理する管理会社の管理端末を、ユーザ属性データベース１６ｄに記憶されたテーブルを用いて識別あるいは特定する（Ｓ１０３）。ユーザ属性データベース１６ｄに記憶されたテーブルでは、複数のデジタルカメラのそれぞれにＩＤが割り当てられ、複数のデジタルカメラのそれぞれのＩＤ毎に管理端末が割り当てられているので、たとえ複数のデジタルカメラから電子メールが送信されたとしても、ＡＳＰサーバ１６は電子メールのサブジェクトに含まれるＩＤから管理端末を特定することができる。
【００３９】
次に、ＡＳＰサーバ１６は、識別あるいは特定した管理端末に対して電子メールの受信完了を通知する（Ｓ１０４）。受信完了通知には、デジタルカメラのＩＤ、受信した画像枚数、撮影日時の各データが含まれる。これらはいずれも受信した電子メールのサブジェクトに含まれるデータである。また、ＡＳＰサーバ１６は、データベースからプロジェクト番号毎に記憶されている現場写真の画像データを画像データベース１６ｅから読み出し、所定のファイルフォーマットに編集してファイルデータベース１６ｆに記憶する（Ｓ１０５）。なお、図では管理端末に受信完了を通知した後に画像データを所定のフォーマットに編集しているが、画像データを所定のフォーマットに編集した後に管理端末に受信完了を通知することもできる。
【００４０】
ファイルフォーマットは、ユーザ属性データベース１６ｄに記憶されるユーザ属性に基づいて決定される。但し、受信した電子メールの本文にファイルフォーマットに関するデータが含まれている場合には、このフォーマットデータに基づいて編集することもできる。
【００４１】
受信完了通知を受信した管理端末は、ＡＳＰサーバ１６に対して現場写真の画像データを要求する。例えば、ＡＳＰサーバ１６が特定した管理端末が管理端末１８であり、ＡＳＰサーバ１６が受信完了通知を管理端末１８に送信すると、管理端末１８のユーザである管理会社の担当者は、管理端末１８を用いて受信完了通知を確認する。そして、管理会社の担当者は、この受信完了通知を確認した後、管理端末１８からインターネット１２を介してＡＳＰサーバ１６に対して現場写真の画像データの送信を要求する。ＡＳＰサーバ１６は、管理端末から画像データ送信の要求を受信すると、ファイルデータベース１６ｆに記憶されている編集済みの画像データを当該管理端末に送信する（Ｓ１０６）。
【００４２】
より詳細に説明すると、以下のとおりである。すなわち、管理端末１８のユーザは、ＡＳＰサーバ１６から受信完了通知を受信すると、管理端末１８を用いてＡＳＰサーバ１６にアクセスする。ＡＳＰサーバ１６は、管理端末１８からアクセス要求があると、ユーザ名及びパスワードの入力を要求する。管理端末１８のユーザは、この要求に応じてＡＳＰサーバ１６に対してユーザ名及びパスワードを入力して送信する。ＡＳＰサーバ１６は、管理端末１８からユーザ名及びパスワードを受信すると、ユーザ属性データベース１６ｄに記憶されたユーザ名及びパスワードと受信したユーザ名及びパスワードとを照合し、正しいユーザであるか否かを確認する（ユーザ認証）。ユーザ認証が完了すると、次に管理端末１８のユーザは必要なファイルを要求する処理に移行する。ファイルの種類としては、デジタルカメラ毎の表示、写真一覧、スライドショー、マトリクスがある。
【００４３】
５．ＫＹ日誌の画像データ及び入退場管理カードの画像データの処理内容
次に、本実施形態において、工事施工者の労務管理に用いられるＫＹ日誌の画像データ及び入退場管理カードの画像データの処理について説明する。
【００４４】
図５に、ＫＹ日誌１００の一例を示す。ＫＹ（危険予知）日誌とは、工事安全管理に用いられる日誌であり、工事における危険ポイントを予め抽出し、これらについて危険の度合いを評価するとともに、危険を取り除くための方策について記載するものである。ＫＹ日誌には、工事現場名として邸名、及び工事名としての作業名（あるいは作業内容）、今日の作業における危険のポイント、危険のポイントに対する対策、自主的に解決できない危険ポイント、自主的に改善できない品質美化のポイント等を記載する項目が設けられており、毎日の作業に先立って工事施工者（例えば現場監督者）が記入する。最も重要な項目の一つは、自主的に解決できない危険ポイントであり、このような危険ポイントがあれば、直ちに工事管理者に連絡し、工事管理者は当該危険ポイントを取り除くために適切な対策を迅速にとることが要求される。
【００４５】
ＫＹ日誌１００は毎日記入されて工事管理者に提供されるが、工事管理者に届くまでにタイムラグがあると、その分だけ危険ポイントの除去に時間がかかり、作業効率が低下する。
【００４６】
そこで、工事施工者は、ＫＹ日誌１００をデジタルカメラ１０で撮影し、画像データとして撮影直後にＡＳＰサーバ１６に送信する。ＡＳＰサーバ１６は、ＫＹ日誌１００を画像データベース１６ｅに記憶するとともに、管理端末１８あるいは管理端末２０からの要求に応じて管理端末１８あるいは管理端末２０にＫＹ日誌の画像データを送信する。また、ＡＳＰサーバ１６は、ＫＹ日誌の画像データに含まれるデータのうち、邸名や工事名を抽出して画像データベース１６ｅに別途記憶しておく。ＫＹ日誌の画像データから邸名や工事名の部分を画像処理により文字認識してもよく、当該部分のみをトリミングして画像データのまま抽出してもよい。あるいは、ＫＹ日誌１００にＱＲコード１００ａを付加し、このＱＲコードに邸名や工事名をコードとして埋め込んでおくこともできる。ＱＲコード１００ａを受信したＡＳＰサーバ１６では、ＱＲコードをデコードし、邸名や工事名を取得してもよい。
【００４７】
なお、ＫＹ日誌１００には、日付や天候、入場時刻や退場時刻を記載する場合もあるが、これらは統一的に、かつ、正確に記載されているとは言い難く、あくまで危険を未然に予知し防止することを主眼として記載されていることに留意されたい。従来においても、ＫＹ日誌は工事現場で用いられているが、これとは別に作業日報、作業月報を作成して労務管理を行っている所以である。すなわち、ＫＹ日誌は労務管理用として用いられていない。本実施形態では、ＫＹ日誌のうちの一部のデータを労務管理の基礎データとして援用したところに特徴の一つがある。
【００４８】
一方、図６に、入退場管理カード２００の一例を示す。入退場管理カード２００には、工事施工者名が記入された欄と、入場欄、退場欄が存在する。工事施工者の入場時には、入場欄に印（図では丸印）が付される。また、退場時には退場欄に印が付される。工事施工者は、現場入場時に、入場欄に印が付された入退場管理カードをデジタルカメラ１０で撮影し、入退場管理カードの画像データをＡＳＰサーバ１６に送信する。ＡＳＰサーバ１６は、受信した画像データを画像データベース１６ｅに記憶する。入退場管理カード２００には、工事施工者名及び入退場の区別が記入されているから、ＡＳＰサーバ１６は画像データから工事施工者名及び入退場を抽出して画像データとは別個に画像データベース１６ｅに記憶する。工事施工者名及び入退場は画像データから文字認識してもよく、あるいは画像データから当該部分をトリミングして抽出してもよい。また、ＡＳＰサーバ１６は、入退場管理データの画像データにＥＸＩＦデータとして付加されている撮影日時データを抽出し、画像データベース１６ｅに記憶する。撮影日時データは、工事施工者が設定したのではなく、撮影時にデジタルカメラ１０が自動的に付加したデータである。入場時の撮影日時は入場時刻に相当し、退場時の撮影日時は退場時刻に相当する。
【００４９】
以上のようにして、ＡＳＰサーバ１６の画像データベース１６ｅには、ＫＹ日誌１００の画像データ、入退場管理カードの画像データに加え、工事現場名、工事名、工事施工者名、入場／退場、入場時刻／退場時刻の各データが記憶される。
【００５０】
図７に、本実施形態におけるデジタルカメラ１０での撮影動作を模式的に示す。工事施工者は、記入済のＫＹ日誌１００をデジタルカメラ１０で撮影してＡＳＰサーバ１６に送信することで、ＫＹ日誌１００の画像データを送信する。ＫＹ日誌１００の撮影と相前後して、入場時には入場欄に印が付された入退場管理カードをデジタルカメラ１０で撮影してＡＳＰサーバ１６に送信することで、入退場管理カードの画像データを送信する。また、退場時には退場欄に印が付された入退場管理カード２００をデジタルカメラ１０で撮影してＡＳＰサーバ１６に送信することで、入退場管理カードの画像データを送信する。工事日報に入場時の時刻や退場時の時刻を記入して工事管理者に提出することは煩雑であり、正確性にも欠けるが、このように単に入退場管理カード２００を撮影して送信するだけでよいのであれば、工事施工者も極めて容易にこれを実行することができる。しかも、入退場時刻はデジタルカメラ１０が自動的に付加するのであるから、正確性が担保され改ざんのおそれも少ない。
【００５１】
多くの工事施工者にとり、工事自体がメインであって、これに伴う事務的な作業は二次的なものであり、煩雑で面倒と感じることが多い。本実施形態では、デジタルカメラ１０を操作して特定の書類を撮影し、特定のボタンを操作してサーバに送信するだけでよいので、工事施工者の事務作業の軽減効果は極めて大きいといえる。このことは、労務管理の実効性が担保されることも意味する。
【００５２】
図８に、ＡＳＰサーバ１６における労務管理処理のフローチャートを示す。まず、ＡＳＰサーバ１６は、デジタルカメラ１０から電子メールを受信する（Ｓ２０１）。受信した電子メールにはＫＹ日誌の画像データが添付されているので、この画像データを画像データベース１６ｅに記憶するとともに、この画像データから工事現場名としての邸名、工事名（工事内容）としての作業名を抽出して画像データベース１６ｅに記憶する（図５を併せて参照されたい：Ｓ２０２）。ＱＲコード１００ａに工事現場名や工事名が含まれている場合には、ＱＲコードをデコードしてこれらのデータを抽出する。
【００５３】
また、この処理と相前後して、受信した電子メールには入退場管理カードの画像データが添付されているので、この画像データを画像データベース１６ｅに記憶するとともに、この画像データから工事施工者名としての工務店名、入場／退場を抽出する。また、画像データに付加されている撮影日時のデータを入場時刻あるいは退場時刻として抽出し、画像データベース１６ｅに記憶する（Ｓ２０３）。
【００５４】
そして、抽出した工事現場名、工事名、工事施工者名、入場時刻、退場時刻を画像データベース１６ｅから抽出し、これらを互いに関連づけて労務管理ファイルを作成し、ファイルデータベース１６ｆに記憶する。労務管理ファイルは、工事管理者からの要求に応じて、管理端末１８あるいは管理端末２０に送信する（Ｓ２０４）。
【００５５】
ＡＳＰサーバ１６のＣＰＵ１６ｂが作成する労務管理ファイルのフォーマットは任意であり、少なくとも、工事現場名、工事名、工事施工者名、入場時刻、退場時刻が含まれていればよい。一例としては、既存の作業日報あるいは作業月報に準じたフォーマットとすることができる。労務管理ファイルのフォーマットは、ＡＳＰサーバ１６側で独自に設定してもよく、あるいは管理端末を管理する工事管理者が設定してもよい。
【００５６】
以上のように、工事施工者は、デジタルカメラ１０を操作して所定の書類を撮影するのみで労務管理が行われるので、従来のような工事日報や工事月報は不要化される。また、入場時刻や退場時刻はデジタルカメラ１０で自動で設定するため正確性が担保され、工事管理者は労務管理を正確に実行することができる。
【００５７】
本実施形態では、現場写真の画像データ、ＫＹ日誌の画像データ、入退場管理カードの画像データを画像データベース１６ｅに記憶しているが、画像データベース１６ｅは物理的に１個のストレージである必要はなく、複数のストレージから構成されていてもよい。そして、現場写真の画像データをあるストレージに記憶し、ＫＹ日誌の画像データ及び入退場管理カードの画像データを異なるストレージに記憶してもよい。
【００５８】
また、本実施形態では、危険予知シートの例としてＫＹ日誌を挙げたが、必ずしもこれに限定されるものではなく、その名称は問わない。要するに、工事現場において危険予知活動あるいは工事安全管理活動において、工事に先立って記入するシートあるいは日誌であれば任意のものが該当し得る。
【００５９】
また、本実施形態では、危険予知シートの画像データから工事現場名、工事名を抽出しているが、入退場管理カードに工事現場名及び工事名を記載すれば、入退場管理データの画像データのみで労務管理ファイルを作成するために必要なデータである、工事現場名、工事名、工事施工者名、入退場時刻を得ることができる。このような場合の入退場管理カードの一例を図９に示す。
【００６０】
本実施形態の変形例として、工事施工者がある会社に属する、あるいは雇用関係にある複数の作業者ないし職人である場合、工事施工者の労務管理としては、工事施工者の個々の作業者ないし職人の労務管理まで行うことができれば好適である。以下では、工事施工者の個々の作業者ないし職人（以下では、簡略のため職人と統一する）の労務管理を行う場合について説明する。
【００６１】
図１０に、変形例の処理フローチャートを示す。まず、工事施工者は、工事に従事する職人の住所や氏名等の職人情報を工事施工者の会社名や工事現場名と関連づけて端末からサーバに送信してサーバに登録する（Ｓ３０１）。職人情報を登録すべきサーバは、ＡＳＰサーバ１６と同一でもよく、あるいはこれと異なるサーバであってもよい。
【００６２】
職人情報を登録すると、サーバ側では、この職人情報に基づいて、職人の氏名を含むＱＲコードを生成して記憶する。工事施工者は、記憶されたＱＲコードをダウンロードするとともに、プリンタ等の印刷装置から印刷する（Ｓ３０２）。ＱＲコードに含まれる情報は、具体的には、工事現場名、工事名、工事施工者、職人名である。そして、工事施工者は、印刷装置で印刷したＱＲコードを、そのＱＲコードに対応する職人に配布する（Ｓ３０３）。
【００６３】
職人は、配布を受けたＱＲコードを所定部位、例えば工事現場で作業する際に着用が義務付けられている安全ヘルメットに貼付する。そして、工事現場に入る際及び工事現場から出る際に、安全ヘルメットに貼付されたＱＲコードをデジタルカメラ１０で撮影する（Ｓ３０４）。この処理は、図７においてデジタルカメラ１０でＫＹ日誌１００と入退場管理カード２００を撮影することと並行して、あるいはこれらと相前後して行われる。なお、配布を受けたＱＲコードをヘルメットではなく首からさげる、あるいは作業着の所定部位に貼付する等も可能であり、この場合には着用品のこれらの部位のＱＲコードを撮影する。ＱＲコードを工事現場の看板に貼付することもあり得る。
【００６４】
デジタルカメラ１０は、ＱＲコードを撮影してその画像データを取得すると、公知のＱＲコードデコードプログラムを実行してＱＲコードに含まれるテキスト情報を抽出する。ＱＲコードを撮影してテキスト情報を抽出する技術は、携帯電話等で周知であるからその詳細については省略する。デジタルカメラ１０は、ＱＲコードを解析して得られたテキスト情報をＡＳＰサーバ１６に送信する。ＱＲコードに含まれるテキスト情報を例示すると、例えば以下のようである。
【００６５】
ｃｏｒｐ：ａａａ工務店，ｐｒｏｊｅｃｔ：ｂｂ，ｐｒｏｊｅｃｔ  ｎｏ．：０１２３４５６，ｎａｍｅ：ｄｄｄｄ
ここで、ｃｏｒｐは工事施工者、ｐｒｏｊｅｃｔは工事現場（邸名）、ｐｒｏｊｅｃｔ  ｎｏは工事現場のコード番号、ｎａｍｅは職人の氏名を意味する。これらのテキストデータは、デジタルカメラ１０からＡＳＰサーバ１６に送信される。
【００６６】
ＡＳＰサーバ１６では、デジタルカメラ１０から送信されたテキスト情報を受信し、データベースに登録する（Ｓ３０５）。一方、ＡＳＰサーバ１６は、図８の処理フローチャートで示したように、ＫＹ日誌データから工事現場（邸名）、工事名を抽出して記憶し、カードデータから作業者名（工事施工者）、入場時刻、退場時刻を抽出して記憶しているから、これらのデータを用いて、個々の職人を特定した労務管理データを作成して管理端末に送信する（Ｓ２０４）。すなわち、テキスト情報には、職人の氏名の他に、この職人の氏名に関連づけて工事施工者や工事現場が含まれているから、これらを用いてＫＹ日誌データ及びカードデータとの関連付けを行い、労務管理データを作成する。
【００６７】
図１１に、職人の安全ヘルメットに貼付されたＱＲコード３００の一例を示す。ＱＲコード３００は、安全ヘルメットの所定位置、例えば側面に貼付される。職人がこの安全ヘルメットを着用して工事現場に入る際に、デジタルカメラ１０で安全ヘルメットのＱＲコードが撮影される。このとき、入退場管理カード２００も撮影されるので、例えば入退場カード２００を持った職人を撮影する際に、その職人の安全ヘルメットも同時に撮影してＱＲコードを撮影する。なお、上記のようにＱＲコードの貼付部位はヘルメットに限定されるわけではなく、職人の任意の着用品に貼付することができる。
【００６８】
図１２に、労務管理データの一例を示す。図１２に示す労務管理データは、いわゆる工事月報のフォーマットで作成されており、月毎の工事施工者及び職人の入退場時刻を記録したものである。なお、図では工事名を省略している。
【００６９】
このように、ＱＲコードに工事を行う作業者ないし職人の氏名あるいは個人を特定する情報を含ませてデジタルカメラ１０で撮影する構成とすることで、作業者ないし職人まで特定した労務管理データを容易に作成することができる。本実施形態では、工事現場でデジタルカメラ１０を用いて所定の対象物を撮影するだけで労務管理データが作成される点に着目すべきである。
【００７０】
一般に、労務管理に携帯電話を用いる場合も提案されている。すなわち、現場に入場する際に携帯電話から所定の番号に電話をかけることで労務管理を行うものである。携帯電話は本来的に任意の場所から電話をかけることができるから、電話をかけた当事者が真にその現場にいることを保証するものではない。また、職人が毎日きちんと電話をかけないことも想定され、電話番号のかけ間違いもあり得る。これらのシステムと対比すれば、本実施形態の有効性は明らかであろう。
【００７１】
なお、本実施形態では、ＱＲコード３００に工事施工者や工事現場が含まれており、これらのデータはＫＹ日誌のデータや入退場カードのデータと重複していることから、これらの重複データを補完用に用いることもできる。
【００７２】
例えば、入退場管理カード２００には、図６に示されるように「○△工務店」と工事施工者名が含まれているが、工事現場によっては入退場管理カード２００に工事施工者が含まれていない場合もあり得る。この場合、入退場管理カード２００から抽出された工事施工者をメインデータ、ＱＲコード３００に含まれる工事施工者をサブデータとし、メインデータが存在する場合にはそのメインデータを使用し、メインデータが存在しないもののサブデータが存在する場合にはそのサブデータを使用するようにしてもよい。
【００７３】
あるいは、ＱＲコード３００を撮影する場合にも、デジタルカメラ１０でその撮影時刻を自動取得するので、入退場管理カード２００を撮影したときの時刻をメインデータとし、ＱＲコードを撮影したときの時刻をサブデータとしてもよい。入退場管理カード２００を撮影したときの時刻と、ＱＲコードを撮影したときの時刻との差が所定時間以内である場合のみ、入退場管理カード２００を撮影したときの時刻、すなわち入退場時刻を真正なものとみなして労務管理データを作成することもできる。
【符号の説明】
【００７４】
１０  デジタルカメラ、１４  メールサーバ、１６  ＡＳＰサーバ、１８，２０  管理端末、１００  危険予知シート（ＫＹ日誌）、２００  入退場管理カード。
【図１】
2012084110.tif 000003
【図２】
2012084110.tif 000004
【図３】
2012084110.tif 000005
【図４】
2012084110.tif 000006
【図５】
2012084110.tif 000007
【図６】
2012084110.tif 000008
【図７】
2012084110.tif 000009
【図８】
2012084110.tif 000010
【図９】
2012084110.tif 000011
【図１０】
2012084110.tif 000012
【図１１】
2012084110.tif 000013
【図１２】
2012084110.tif 000014
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
工事現場の労務管理システムであって、
工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラと、
前記デジタルカメラから送信された前記現場写真の画像データ、危険予知シートの画像データ、入退場管理カードの画像データを受信するサーバと、
前記サーバから送信された前記現場写真の画像データを受信して表示する管理端末と、
を備え、
前記サーバは、
プロセッサと、
前記管理端末のユーザである管理者と、前記管理者が管理する前記デジタルカメラとの対応関係を記憶するユーザ属性データベースと、
前記現場写真の画像データ、危険予知シートの画像データ、入退場管理カードの画像データを記憶する画像データベースと、
を備え、
前記サーバの前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、
前記管理端末は、前記サーバから送信された前記現場写真の画像データ及び前記労務管理ファイルを表示する
ことを特徴とする工事現場の労務管理システム。
【請求項２】
工事現場の労務管理システムであって、
工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラと、
前記デジタルカメラから送信された前記現場写真の画像データ、入退場管理カードの画像データを受信するサーバと、
前記サーバから送信された前記現場写真の画像データを受信して表示する管理端末と、
を備え、
前記サーバは、
プロセッサと、
前記管理端末のユーザである管理者と、前記管理者が管理する前記デジタルカメラとの対応関係を記憶するユーザ属性データベースと、
前記現場写真の画像データ、入退場管理カードの画像データを記憶する画像データベースと、
を備え、
前記サーバの前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信し、
前記管理端末は、前記サーバから送信された前記現場写真の画像データ及び前記労務管理ファイルを表示する
ことを特徴とする工事現場の労務管理システム。
【請求項３】
工事現場の労務を管理する労務管理システム用のサーバであって、
前記サーバは、工事現場の現場写真を撮影するとともに、工事現場における危険ポイントが記載された危険予知シートを撮影し、かつ工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ、危険予知シートの画像データ、及び入退場管理カードの画像データを受信して管理端末に送信するものであり、
プロセッサと、
前記管理端末のユーザである管理者と、前記管理者が管理する前記デジタルカメラとの対応関係を記憶するユーザ属性データベースと、
前記現場写真の画像データ、危険予知シートの画像データ、入退場管理カードの画像データを記憶する画像データベースと、
を備え、前記プロセッサは、前記危険予知シートの画像データから工事現場名を表すデータ及び工事名を表すデータを抽出し、前記入退場管理カードの画像データから工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする工事現場の労務管理システム用のサーバ。
【請求項４】
工事現場の労務を管理する労務管理システム用のサーバであって、
前記サーバは、工事現場の現場写真を撮影するとともに、工事現場への入退場時に入退場管理カードを撮影するデジタルカメラであって、少なくとも前記入退場管理カードを撮影する際にその撮影時刻のデータを画像データに自動付加するデジタルカメラから送信された前記現場写真の画像データ及び入退場管理カードの画像データを受信して管理端末に送信するものであり、
プロセッサと、
前記管理端末のユーザである管理者と、前記管理者が管理する前記デジタルカメラとの対応関係を記憶するユーザ属性データベースと、
前記現場写真の画像データ及び入退場管理カードの画像データを記憶する画像データベースと、
を備え、前記プロセッサは、前記入退場管理カードの画像データから工事現場名を表すデータ、工事名を表すデータ、工事施工者を表すデータを抽出し、前記撮影時刻のデータから入退場時刻を表すデータを抽出して労務管理ファイルを作成し、前記管理端末からの要求に応じ、前記ユーザ属性データベースにアクセスすることで前記管理者が管理するデジタルカメラを特定し、対応する前記現場写真の画像データ及び前記労務管理ファイルを前記管理端末に送信することを特徴とする工事現場の労務管理システム用のサーバ。
【請求項５】
請求項１，２のいずれかに記載の工事現場の労務管理システムにおいて、さらに、
前記サーバは、工事現場への入退場時に現場作業者の着用品に付され、前記現場作業者を特定する個人情報を含むＱＲコードを前記デジタルカメラで撮影して得られる前記個人情報を受信し、前記個人情報を含む前記労務管理ファイルを作成して前記管理端末に送信する
ことを特徴とする工事現場の労務管理システム。
【請求項６】
請求項１，２のいずれかに記載の工事現場の労務管理システムにおいて、
前記デジタルカメラにより前記画像データに自動付加される前記撮影時刻のデータは、ユーザによる設定及び修正が不可能なデータであることを特徴とする工事現場の労務管理システム。
【請求項７】
請求項３，４のいずれかに記載の工事現場の労務管理システム用のサーバにおいて、
前記デジタルカメラにより前記画像データに自動付加される前記撮影時刻のデータは、ユーザによる設定及び修正が不可能なデータであることを特徴とする工事現場の労務管理システム用のサーバ。